(57)【要約】      （修正有）【課題】集合住宅用インターホンシステムにおいて、電子回覧板に対するアンケートデータを容易に作成できるようにする。【解決手段】アンケートに対する回答を返信する場合、回答欄を選択式にすると共に、表示領域中の回答エリアの位置を予め定めることにより、選択位置情報に基づいて、回答を判別するよう構成することによって、安価なシステムでアンケート調査を行うことが可能な集合住宅用インターホンシステムを提供する。【選択図】図１
2010074457.tif 000002
【特許請求の範囲】
【請求項１】
来訪者が居住者を呼び出して通話を行うための集合玄関機と、前記集合玄関機からの呼び出しを確認した居住者が応答して前記来訪者との間で通話を行うための居室親機と、管理室に設置され前記集合玄関機、前記居室親機間で呼出・通話をおこなうための管理室親機と、前記集合玄関機、前記居室親機、前記管理室親機をそれぞれ制御する制御機とから構成される集合住宅インターホンシステムであって、前記管理室親機は、前記居室親機に送信するための連絡やアンケート等に使用するテンプレートを有し、前記テンプレートは、自由記入エリアと回答エリアを備え、前記自由記入エリア及び前記回答エリアは、前記管理室親機又は外部端末により記入されて画像データとして認識され、前記回答エリアの回答位置は予め定められた位置に固定され、前記居室親機は、前記テンプレートを前記集合玄関機、前記居室親機、前記管理室親機及び前記制御機間のデータ通信をおこなうためのデータ幹線を経由して画像データとして送信され、前記居室親機は、前記データ幹線からのテンプレートを受信して来訪者を出画するためのモニタに表示し、所定の操作により回答エリアの予め定められた位置にある回答欄を選択し、居室番号情報及びテンプレート中の回答欄の選択した位置情報を前記データ幹線を介して返信し、前記管理室親機は、前記居室親機から送信されたデータから前記居室番号及び前記位置情報を解析して回答情報として蓄積・保存することを特徴とする集合住宅インターホンシステム。  
【請求項２】
前記居室親機は、前記回答エリアの予め定められた位置にある回答欄を選択すると、居室番号情報及びテンプレート中の回答欄の選択した位置情報を前記データ幹線を介して返信し、前記管理室親機は、前記居室親機から送信されたデータから前記居室番号及び前記位置情報を解析して回答情報として蓄積・保存すると共に、回答欄を選択した選択結果テンプレートをデータ幹線を経由して画像データとして送信し、前記居室親機は、前記データ幹線からの選択結果テンプレートを受信して表示させ、居住者が確認操作をおこなって確認結果信号を送信し、前記管理室親機は、前記居室親機から送信された確認結果信号を基に前記蓄積・保存した回答情報を有効又は無効とする制御をおこなうことを特徴とする請求項１記載の集合住宅インターホンシステム。
【発明の詳細な説明】
【技術分野】
【０００１】
本発明は集合住宅インターホンシステムに係り、特に、集合住宅内のアンケートをインターホンを用いておこなうにあたって、簡易なシステムにておこなうことができる集合住宅インターホンシステムに関する。
【背景技術】
【０００２】
従来の集合住宅インターホンシステムは、集合住宅内の連絡事項として電子回覧板を用いたシステムが提案されていた（特許文献参照）。  
【特許文献１】特開2002-57805号公報
【特許文献２】特開2002-57806号公報
【発明の開示】
【発明が解決しようとする課題】
【０００３】
しかしながら、従来例の集合住宅インターホンシステムにおいて、回覧板の場合、居住者が見るだけで特に返信する必要はなかったため、静止画データとして送信することができ、これまでの集合住宅インターホンシステムを使用して送信することができた。しかし、アンケートとなると返信が必要となり、都度、アンケート用紙（データ）を作成する必要があるし、それを居室機側で再生する場合にもブラウザが別途必要になるなど、システム構築が大掛かりとなってしまう。
【０００４】
本発明は、上述の難点を解消するためになされたもので、返信する場合、回答を選択式とするとともに、回答エリアを予め定めることにより、選択位置情報に基づいて、回答を判別するよう構成することによって、安価なシステムでアンケート調査をおこなうことが可能な集合住宅インターホンシステムを提供することを目的としている。
【課題を解決するための手段】
【０００５】
本発明による集合住宅インターホンシステムは、来訪者が居住者を呼び出して通話を行うための集合玄関機と、集合玄関機からの呼び出しを確認した居住者が応答して来訪者との間で通話を行うための居室親機と、管理室に設置され集合玄関機、居室親機間で呼出・通話をおこなうための管理室親機と、集合玄関機、居室親機、管理室親機をそれぞれ制御する制御機とから構成される集合住宅インターホンシステムであって、管理室親機は、居室親機に送信するための連絡やアンケート等に使用するテンプレートを有し、テンプレートは、自由記入エリアと回答エリアを備え、自由記入エリア及び回答エリアは、管理室親機又は外部端末により記入されて画像データとして認識され、回答エリアの回答位置は予め定められた位置に固定され、居室親機は、テンプレートを集合玄関機、居室親機、管理室親機及び制御機間のデータ通信をおこなうためのデータ幹線を経由して画像データとして送信され、居室親機は、データ幹線からのテンプレートを受信して来訪者を出画するためのモニタに表示し、所定の操作により回答エリアの予め定められた位置にある回答欄を選択し、居室番号情報及びテンプレート中の回答欄の選択した位置情報をデータ幹線を介して返信し、管理室親機は、居室親機から送信されたデータから居室番号及び位置情報を解析して回答情報として蓄積・保存することを特徴とする集合住宅インターホンシステム。
【０００６】
また、請求項１の集合住宅インターホンシステムにおいて、居室親機は、回答エリアの予め定められた位置にある回答欄を選択すると、居室番号情報及びテンプレート中の回答欄の選択した位置情報をデータ幹線を介して返信し、管理室親機は、居室親機から送信されたデータから居室番号及び位置情報を解析して回答情報として蓄積・保存すると共に、回答欄を選択した選択結果テンプレートをデータ幹線を経由して画像データとして送信し、居室親機は、データ幹線からの選択結果テンプレートを受信して表示させ、居住者が確認操作をおこなって確認結果信号を送信し、管理室親機は、居室親機から送信された確認結果信号を基に蓄積・保存した回答情報を有効又は無効とする制御をおこなうことを特徴とする請求項１記載の集合住宅インターホンシステム。
【発明の効果】
【０００７】
請求項１の発明によれば、返信する場合、回答を選択式とするとともに、回答エリアを予め定めることにより、選択位置情報に基づいて、回答を判別するよう構成することによって、安価なシステムでアンケート調査をおこなうことができる。
【０００８】
請求項２の発明によれば、選択した結果を目視した後に決定することができるので、居住者がどれを選択したのかを把握することができるので便利である。
【発明を実施するための最良の形態】
【０００９】
以下、本発明の集合住宅インターホンシステムを適用した最良の実施の形態例について、図面を参照して説明する。
【００１０】
図１は、本発明の集合住宅インターホンシステムの構成を示すシステム説明図である。  来訪者が居住者を呼び出して通話を行うための集合玄関機１と、集合玄関機１からの呼び出しを確認した居住者が応答して来訪者との間で通話を行うための居室親機３と、管理室に設置され、居住者と通話するための管理室親機４と、集合玄関機１、居室親機３、管理室親機４をそれぞれ制御する制御機２とから構成されている。
【００１１】
また、居室親機３は図２のブロック図に示すように居室親機３は、モニタ３１、映像処理部３２、タッチパネル等の操作部３３、通話ボタン３４、スピーカ３５、マイク３６、通話回路３７、居室親機ＩＦ３８、居室親機ＣＰＵ３９から構成されている。
【００１２】
さらに、管理室親機４は、図３のブロック図に示すようにモニタ４１、映像処理部４２、タッチパネル等の操作部４３、情報入力部４４、テンプレート情報記憶部４５、解析部４６、スピーカ４７、マイク４８、通話回路４９、管理室親機IF５０、管理室親機ＣＰＵ５１とから構成されている。
【００１３】
このように構成された集合住宅インターホンシステムにおいて、以下、動作を説明する。  なお、来訪者が居室親機を呼び出して通話すること等の通常の動作については従来と同様であるので説明を省略する。  まず、テンプレートＴＰは、自由記入エリアＡと回答エリアＢとに分かれている。回答エリアＢは、座標（Ｘ１，Ｙ１）、（Ｘ２、Ｙ２）の周辺位置が回答選択エリアとなっており、基本的にはどちらかを選択するようラジオボタン等で表示されている。
【００１４】
このテンプレートＴＰは、管理室親機４のテンプレート情報記憶部４５に記憶されている。また、図１に示す例示は、管理室親機４の情報入力部４４から入力されるか、若しくは、情報入力部４４に接続されるパーソナルコンピュータから入力されて作成される。作成された当該テンプレートＴＰは、居室親機３、管理室親機４及び制御機５間のデータ通信をおこなうためのデータ幹線を経由して画像データとして送信される。居室親機３では、当該画像データを居室親機ＩＦ３８を介して受信し、モニタ３１に表示をおこなう。このとき、居室親機３のスピーカからアンケートが到着した旨を知らせる。本実施例では、これを確認した居住者が、 “参加します”を選択する。なお、選択操作は、操作部であるタッチパネル３３を用いておこなわれる。
【００１５】
ここで入力した情報は、返信データとして、テンプレートＴＰが送信されたのと逆の経路により管理室親機４に返信される。管理室親機４では、当該返信データを受信して、解析部によりデータを解析する。返信データは、居室番号情報及び位置データ（ここでは、（Ｘ１、Ｙ１））で構成されているのでこのデータ解析部４６で解析する。位置データ（Ｘ１、Ｙ１）は、予め定められた位置であって、“参加します”を指し示している。当該解析結果は、管理室親機４に回答情報として蓄積・保存される。
【００１６】
上記動作は以下のようにおこなわれてもよい。モニタ３１にアンケートが表示された状態において、上記同様にタッチパネルで“参加します”を選択する。
【００１７】
ここで入力した情報は、返信データとして、テンプレートＴＰが送信されたのと逆の経路により管理室親機４に返信される。管理室親機４では、当該返信データを受信して、解析部によりデータを解析する。返信データは、居室番号情報及び位置データ（ここでは、（Ｘ１、Ｙ１））で構成されているのでこのデータ解析部４６で解析する。位置データ（Ｘ１、Ｙ１）は、予め定められた位置であって、“参加します”を指し示している。当該解析結果は、管理室親機４に回答情報として蓄積・保存される。これと共に図４に示すように“参加します”が選択されたことを示すラジオボタン付の画像データが居室親機３に送信され、モニタ３１に表示されていたアンケートに代わって表示される。これを確認した居住者が確認操作（図示しない「ＯＫボタン」を操作する）すると、確認結果信号が管理室親機４へ送信される。
【００１８】
管理室親機４では、当該確認結果信号を受けて先ほど蓄積・保存した回答情報を有効とする制御をおこなう。もし居室親機３でキャンセルする操作がなされた場合には、回答情報を破棄することとなる。
【図面の簡単な説明】
【００１９】
【図１】本発明に係る集合住宅インターホンシステムのシステム構成図及び居室親機に表示されるアンケート例を示す図。
【図２】本発明に係る集合住宅インターホンシステムの居室親機のブロック図。
【図３】本発明に係る集合住宅インターホンシステムの管理室親機のブロック図。
【図４】本発明に係る集合住宅インターホンシステムの居室親機に表示されるアンケート例を示す図。
【符号の説明】
【００２０】
１・・・集合玄関機
２・・・制御機
３・・・居室親機
４・・・管理室親機
ＴＰ・・・テンプレート
Ａ・・・自由記入エリア
Ｂ・・・回答エリア
【図１】
2010074457.tif 000003
【図２】
2010074457.tif 000004
【図３】
2010074457.tif 000005
【図４】
2010074457.tif 000006